(57)【特許請求の範囲】
【請求項１】
ハウジング（１）と、蝶番のカップ（１０）及び連動部材Ａ（５）と連接部材Ｂ（８）とを備える緩衝機能付きドア用蝶番であって、
前記ハウジング（１）の内部にダンパ（３）が軸方向に移動可能に設けられ、前記ダンパ（３）の前端におけるピストンロッドの端部が前記ハウジング（１）に固装され、
前記連動部材Ａ（５）の右端が第１回転軸（４）によって前記ハウジング（１）の内部に回転可能に設けられ、前記連動部材Ａ（５）の左端が第３回転軸によって前記蝶番のカップ（１０）に回転可能に連接され、前記連接部材Ｂ（８）の右端が第２回転軸（７）によって前記ハウジング（１）の内部に回転可能に設けられ、前記連接部材Ｂ（８）の左端が第４回転軸によって前記蝶番のカップ（１０）に回転可能に連接され、前記第２回転軸（７）にねじりバネ（６）が嵌設され、前記ねじりバネ（６）の一端が前記第４回転軸に固定され又は当接され、前記ねじりバネ（６）の他端が前記ハウジング（１）に当接され、
前記連接部材Ｂ（８）の右端の端部に、前記ダンパ（３）を圧縮する方向に駆動する駆動部（１４）が一体に設けられ、前記ダンパ（３）は、前記連接部材Ｂ（８）の回転に伴って前記駆動部（１４）により圧縮されることを特徴とする緩衝機能付きドア用蝶番。
【請求項２】
ハウジング（１）と、蝶番のカップ（１０）及び連動部材Ａ（５）と連接部材Ｂ（８）とを備える緩衝機能付きドア用蝶番であって、
前記ハウジング（１）の内部にダンパ（３）が軸方向に移動可能に設けられ、前記ダンパ（３）の前端におけるピストンロッドの端部が前記ハウジング（１）に固装され、
前記連動部材Ａ（５）の右端が第１回転軸（４）によって前記ハウジング（１）の内部に回転可能に設けられ、前記連動部材Ａ（５）の左端が第３回転軸によって前記蝶番のカップ（１０）に回転可能に連接され、前記連接部材Ｂ（８）の右端が第２回転軸（７）によって前記ハウジング（１）の内部に回転可能に設けられ、前記連接部材Ｂ（８）の左端が第４回転軸によって前記蝶番のカップ（１０）に回転可能に連接され、前記第２回転軸（７）にねじりバネ（６）が嵌設され、前記ねじりバネ（６）の一端が前記第４回転軸に固定され又は当接され、前記ねじりバネ（６）の他端が前記ハウジング（１）に当接され、
前記連動部材Ａ（５）の右端の端部に、前記ダンパ（３）を引っ張る方向に駆動する駆動部（１４）が一体に設けられ、前記ダンパ（３）は、前記連動部材Ａ（５）の回転に伴って前記駆動部（１４）により引っ張られることを特徴とする緩衝機能付きドア用蝶番。
【請求項３】
前記ハウジング（１）は、その前後両側の内壁のそれぞれに、位置決めブロック（１１）が設けられ、二つの前記位置決めブロック（１１）と前記ハウジング（１）のトップ壁の間に、二つのスライド溝（１２）が形成され、前記ダンパ（３）の両側は、前記二つのスライド溝（１２）に軸方向にスライド可能に設けられることを特徴とする請求項１または２に記載の緩衝機能付きドア用蝶番。
【請求項４】
前記ダンパ（３）の両側のそれぞれに、前記二つのスライド溝（１２）に嵌め込まれる位置決めスライダ（３１）が設けられ、前記ダンパ（３）は、前記位置決めスライダ（３１）によって、前記二つのスライド溝（１２）に沿ってスライドすることを特徴とする請求項３に記載の緩衝機能付きドア用蝶番。
【請求項５】
前記ハウジング（１）の内部に位置決め軸（２）が固定して設けられ、前記ダンパ（３）のピストンロッドの端部に、フック（３２）が設けられ、前記フック（３２）が前記位置決め軸（２）に吊設して位置決めされることを特徴とする請求項１または２に記載の緩衝機能付きドア用蝶番。
【請求項６】
前記ハウジング（１）のトップ壁に、下方向へ延伸する係止片（１３）が設けられ、前記ダンパ（３）のピストンロッドの端部に、係止溝（３４）が設けられ、前記係止溝（３４）が前記係止片（１３）に係止して位置決めされることを特徴とする請求項１または２に記載の緩衝機能付きドア用蝶番。
【請求項７】
前記駆動部（１４）はフック部であり、前記ダンパ（３）の後端部には前記フック部が係着するストッパー（３３）が設けられ、前記ダンパ（３）は、前記連動部材Ａ（５）の回転に伴って前記フック部により前記ストッパー（３３）とともに引っ張られることを特徴とする請求項２に記載の緩衝機能付きドア用蝶番。
【請求項８】
前記駆動部（１４）は、押動ブロックであり、前記ダンパ（３）の後端部には前記押動ブロックが当接する斜面（３５）が設けられ、前記ダンパ（３）は、前記連接部材Ｂ（８）の回転に伴って前記押動ブロックが前記斜面（３５）を押圧することにより圧縮されることを特徴とする請求項１に記載の緩衝機能付きドア用蝶番。
【請求項９】
前記ダンパ（３）の後端部が前記駆動部（１４）に蝶着されることを特徴とする請求項１または２に記載の緩衝機能付きドア用蝶番。
【請求項１０】
前記位置決めブロック（１１）は、前記ハウジング（１）の前後両側で打ち抜きによる内に向けて折曲される折り曲げ片又は内に向けてプレスして形成される凸起であることを特徴とする請求項３に記載の緩衝機能付きドア用蝶番。
【請求項１１】
前記第３回転軸と前記第４回転軸は、一体的に成形される、「Ｕ」字型回転軸（９）であることを特徴とする請求項１または２に記載の緩衝機能付きドア用蝶番。
【発明の詳細な説明】
【技術分野】
【０００１】
本発明は、ドア用蝶番技術分野に関し、特に緩衝機能付きドア用蝶番に関する。
【背景技術】
【０００２】
ドア用蝶番の汎用性がよく知られる。ドア用蝶番は、従来の金具であるが、技術発展も経っていた。ヒンジのような普通のドア用蝶番は、緩衝せずにドアを開閉するように配置されることで、ドアは、壁及び他の物に強い衝撃を与え、使用効果が悪い。
【０００３】
前記技術課題を解決するために、緩衝機能付ドア用蝶番は、機運に乗じて生じる。例えば、特許文献1に、ハウジングと、緩衝軸と、第１ねじりバネとを備える緩衝機能付きドア用蝶番が開示され、前記緩衝軸が回転可能にハウジングに設けられ、前記緩衝軸に緩衝ブロックが設けられ、前記第１ねじりバネが緩衝軸に嵌設され、第１ねじりバネの一端がハウジングに当接され、他端が緩衝軸の緩衝ブロックに当接される。この従来の技術は、第２ねじりバネと、連動部材と第２回転軸を更に備え、前記連動部材の一端が「Ｕ」字型回転軸の他端の軸により、蝶番のカップに回転可能に連接され、連動部材の他端が第２回転軸により、回転可能にハウジングに設けられ、前記緩衝ブロックの端部が連動部材と互いに当接可能に設けられる。前記従来の技術は、連動部材と緩衝ブロックの協働で緩衝機能を実現して従来の技術課題を解決したが、下記の欠点が存在している。緩衝ブロックは、緩衝軸を中心として回転することで、連動部材と互いに当接する時、連動部材のストロークが短いので、優れる緩衝効果を得らない。
従って、従来の技術を更に改善する可能性がある。
【先行技術文献】
【特許文献】
【０００４】
【特許文献１】中国特許出願公開第１０５６０４４２３Ａ号明細書
【発明の概要】
【発明が解決しようとする課題】
【０００５】
目的は、合理的な設計、優れる緩衝効果等の利点を有する、緩衝機能付きドア用蝶番を提供することにある。
【課題を解決するための手段】
【０００６】
前記目的を達するために、本発明は、以下のような技術手段を用いる。
本発明の緩衝機能付きドア用蝶番は、ハウジングと、蝶番のカップ及び連動部材Ａと連接部材Ｂとを備え、前記ハウジングの内部にダンパが軸方向に移動可能に設けられ、前記ダンパの前端におけるピストンロッドの端部がハウジングに固装され、前記連動部材Ａの右端が第１回転軸によって前記ハウジングの内部に回転可能に設けられ、連動部材Ａの左端が第３回転軸によって蝶番のカップに回転可能に連接され、前記連接部材Ｂの右端が第２回転軸によってハウジングの内部に回転可能に設けられ、連接部材Ｂの左端が第４回転軸によって蝶番のカップに回転可能に連接され、前記第２回転軸にねじりバネが嵌設され、ねじりバネの一端が第４回転軸に固定され又は当接され、ねじりバネの他端がハウジングに当接される。前記連接部材Ｂ（８）の右端の端部に、前記ダンパ（３）を圧縮する方向に駆動する駆動部（１４）が一体に設けられ、前記ダンパ（３）は、前記連接部材Ｂ（８）の回転に伴って前記駆動部（１４）により圧縮される。
【０００７】
前記ハウジングは、その前後両側の内壁のそれぞれに、位置決めブロックが設けられ、二つの前記位置決めブロックとハウジングのトップ壁の間に、二つのスライド溝が形成され、前記ダンパの両側は、それをマッチングする二つのスライド溝に軸方向にスライド可能に設けられる。
【０００８】
前記ダンパの両側のそれぞれに、位置決めスライダが設けられ、前記ダンパは、その両側の位置決めスライダによって、二つのスライド溝にマッチングして摺動する。
【０００９】
前記ハウジングの内部に位置決め軸が固定して設けられ、前記ダンパのピストンロッドの端部にフックが設けられ、前記フックが前記位置決め軸に吊設して位置決めされる。
【００１０】
前記ハウジングのトップ壁に、下方向へ延伸する係止片が設けられ、前記ダンパのピストンロッドの端部に、係止溝が設けられ、前記係止溝が係止片に係止して位置決めされる。
【００１１】
前記ダンパの後端部にストッパーが設けられ、前記連動部材Ａの右端の端部に駆動部が設けられ、前記駆動部がストッパーにマッチングして配置される。
【００１２】
前記駆動部はフック部である。
【００１３】
前記ダンパの後端部に斜面が設けられ、前記連接部材Ｂの右端の端部に駆動部が設けられ、前記駆動部が斜面にマッチングして設置される。
【００１４】
前記駆動部は、斜面にマッチングする押動ブロックである。
【００１５】
前記連動部材Ａ又は連接部材Ｂの右端の端部に駆動部が設けられ、前記ダンパの後端部が前記駆動部に蝶着される。
【００１６】
前記位置決めブロックは、前記ハウジングの前後両側で打ち抜きによる内に向けて折曲される折り曲げ片又は内に向けてプレスして形成される凸起である。
【００１７】
前記第３回転軸と前記第４回転軸は、一体的に成形される、「Ｕ」字型回転軸である。
【発明の効果】
【００１８】
本発明では、前記ハウジングにダンパが軸方向において移動可能に設けられ、前記ダンパの前端におけるピストンロッドの端部がハウジングに固装され、前記連動部材Ａ又は連接部材Bの右端の端部がダンパの後端にマッチングして配置される。本発明では、ダンパと連動部材Ａ又は連接部材Bの移動方向とは、同一であり、連動部材Ａ又は連接部材Bのストロークを大きく延長させ、より優れる緩衝技術効果を奏することができる。
【図面の簡単な説明】
【００１９】
【図１】図１は、本発明の実施例１の分解構成を示す図である。
【図２】図２は、本発明の実施例１の全体構成を示す図である。
【図３】図３は、図２のＡ - Ａの断面図である。
【図４】図４は、図２のＢ - Ｂの断面図である。
【図５】図５は、ハウジング及び連接部材を除く本発明の実施例１の構成を示す図である。
【図６】図６は、本発明の実施例１の他の実施形態の分解構成を示す図である。
【図７】図７は、本発明の実施例２の分解構成を示す図である。
【図８】図８は、本発明の実施例２の部分組み立て構成を示す図である。
【符号の説明】
【００２０】
１…ハウジング、２…位置決め軸、３…ダンパ、４…第１回転軸、５…連動部材Ａ、６…ねじりバネ、７…第２回転軸、８…連接部材Ｂ、９…「Ｕ」字型回転軸、１０…蝶番のカップ、１１…位置決めブロック、１２…スライド溝、１３…係止片、１４…駆動部、３１…位置決めスライダ、３２…フック、３３…ストッパー、３４…係止溝、３５…斜面。
【発明を実施するための形態】
【００２１】
下記は、図面と実施例を参考しながら本発明の技術的解決手段を説明する。
実施例１  
図面１乃至図面６に示すように、本発明では、緩衝機能付きドア用蝶番は、ハウジング１と、蝶番のカップ１０及び連動部材Ａ５と連接部材Ｂ８とを備え、前記ハウジング１の内部にダンパ３が軸方向に移動可能に設けられ、前記ダンパ３の前端におけるピストンロッドの端部がハウジング１に固装される。前記説明は、本発明の主な部品であり、本発明の基本的な構成である。
【００２２】
前記連動部材Ａ５の右端が第１回転軸４によってハウジング１に回転可能に設けられ、連動部材Ａ５の左端が第３回転軸によって蝶番のカップ１０に回転可能に連接され、前記連接部材Ｂ８の右端が第２回転軸７によってハウジング１の内部に回転可能に設けられ、連接部材Ｂ８の左端が第４回転軸によって蝶番のカップ１０に回転可能に連接される。
【００２３】
前記第２回転軸７にねじりバネ６が嵌設され、ねじりバネ６の一端が第４回転軸に固定され又は当接され、ねじりバネ６の他端がハウジング１に当接され、前記連動部材Ａ５の右端の端部がダンパ３の後端にマッチングして配置される。
【００２４】
特に説明すると、製品の統合程度を向上させ、組み立て工程を簡易にさせるために、前記第３回転軸と第４回転軸は、「Ｕ」字型回転軸９として一体的に成形されてもよい。
【００２５】
使用する時、ハウジング１と蝶番のカップ１０は、それぞれドアフレームとドアに固装される。ドアを開ける時、連動部材Ａ５の右端の端部は、ダンパ３とともに左へ移動する。ドアを閉める時、連動部材Ａ５の右端の端部は、ダンパ３を引っ張るように、ダンパ３を駆動してそれを右へ移動させる。これにより、優れる緩衝効果を奏することができる。本発明の連動部材Ａ５とダンパ３の移動方向は、同一の直線にあり、そのストロークが大きくて、従来の技術に対して、より優れる緩衝効果を奏することができる。
【００２６】
前記ハウジング１の内部にダンパ３が軸方向に移動可能に設けられ、具体的に言えば、前記ハウジング１は、その前後両側の内壁のそれぞれに、位置決めブロック１１が設けられ、二つの前記位置決めブロック１１とハウジング１のトップ壁の間に、二つのスライド溝１２が形成され、前記ダンパ３の両側は、それをマッチングする二つのスライド溝１２に軸方向にスライド可能に設けられる。作業性とフレキシビリティを向上させるために、前記ダンパ３の両側のそれぞれに、位置決めスライダ３１が設けられ、前記ダンパ３は、その両側の位置決めスライダ３１によって、二つのスライド溝１２にマッチングして摺動する。このように配置されることにより、構造が簡易であり、製造コストを大きく低減するとともに、ダンパ３の着脱を便利にさせ、保全を便利にさせ、保全コストを低減することができる。
【００２７】
また、特筆すべきことは、前記位置決めブロック１１は、前記ハウジング１の前後両側で打ち抜きによる内に向けて折曲される折り曲げ片又は内に向けてプレスして形成される凸起である。このような構造によって、製品の構造を大きく簡易にして、製品の作動信頼性を向上させるとともに、コストを効果的に低減することができる。
【００２８】
前記ダンパ３の前端におけるピストンロッドの端部がハウジング１に固装され、具体的に言えば、本実施例では、二つの異なる実施形態を用いる。
【００２９】
第１実施形態では、前記ハウジング１の内部に位置決め軸２が固定して設けられ、前記ダンパ３のピストンロッドの端部に、フック３２が設けられ、前記フック３２が前記位置決め軸２に吊設して位置決めされる。
【００３０】
第２実施形態では、前記ハウジング１のトップ壁に、下方向へ延伸する係止片１３が設けられ、前記ダンパ３のピストンロッドの端部に係止溝３４が設けられ、前記係止溝３４が係止片１３に係止して位置決めされる。
【００３１】
前記二つの実施形態のいずれも、前記ダンパ３のピストンロッドの端部が前記ハウジング１に着脱可能に連接される。これにより、ダンパ３の着脱を便利にさせ、保全を便利にさせ、保全コストを低減することができる。
【００３２】
前記ダンパ３の後端部にストッパー３３が設けられ、前記連動部材Ａ５の右端の端部に駆動部１４が設けられ、前記駆動部１４がストッパー３３にマッチングして配置される。駆動部１４とストッパー３３のマッチング関係について、本実施例では、三つの構造が挙げられる。１、前記駆動部１４は、押動ブロックであり、ダンパ３を駆動するようにストッパー３３に当接して配置される。２、前記駆動部１４はフック部であり、ダンパ３を駆動するようにストッパー３３を効果的に係着することができる。前記駆動部１４は、ダンパ３を駆動するようにストッパー３３に蝶着される。
【００３３】
実施例２  
本実施例では、他の構造は、実施例１と同一であるので、重複説明を行わない。相違点は、前記駆動部１４が連接部材Ｂ８の右端の端部に設けられ、連接部材Ｂ８の回転と駆動部１４の駆動によって、ダンパ３を軸方向に移動させることのみである。
【００３４】
具体的に言えば、前記ダンパ３の後端部に斜面３５が設けられ、前記連接部材Ｂ８の右端の端部に駆動部１４（押動ブロック）が設けられ、前記駆動部１４が斜面３５にマッチングして設置される。
【００３５】
具体的に言えば、本実施例の駆動部１４が斜面３５に当接してマッチングされてもよく、駆動部１４がダンパ３の後端部に蝶着されてもよい。
【００３６】
技術効果について、本実施例と実施例１とは、一定の差異があり、連接部材Ｂ８の第２回転軸７にねじりバネ６が嵌設されるとともに連接部材Ｂ８の右端の端部に、ダンパ８とマッチングする駆動部材１４が設けられる。ドアを開閉する時、ねじりバネ６とダンパ３のマッチングをより直接にして、より優れる効果を奏することができる。
【００３７】
前記は、本発明のよい実施方式にすぎず、従って、本発明の特許請求の範囲に記載された構造、特徴及び原理による均等の置き換えや修正は、本発明の特許請求の範囲に含まれるものである。
【図１】
0006875563.tif 000002
【図２】
0006875563.tif 000003
【図３】
0006875563.tif 000004
【図４】
0006875563.tif 000005
【図５】
0006875563.tif 000006
【図６】
0006875563.tif 000007
【図７】
0006875563.tif 000008
【図８】
0006875563.tif 000009